(57)【要約】【課題】  建設のためのコンパクトなモジュールを製造する工法を提供する。【解決手段】  本発明の目的は、６面のモジュール壁構造が単一部材より成り、生成するモジュールは本来的に１００％モノリシックであり、いかなる振動または膨張も生じる余地がなく、モジュールに亀裂または湿気の発生を防止する、小部屋分かれているあるいは分かれていない場合もある住居施設のためのプレファブ鉄筋コンクリートモジュールを獲得することにある。この目的のために、内部の見えなくなる６つの部材―床、壁および天井―が工場で生産されまた高耐性充填材を用いてその端部を介して接合され、下のベースは選択された支持面上の床上にスペーサープラグ（９）を持ち、見えなくなる永続型枠（１、２、３、４、５および６）の外面は、設備取付物（１１）また、その上には、必要に応じて、断熱材（１２）、続いて補強材（１３）、および最後に外部再生利用可能な型枠（１４）を持つ。【選択図】図８
2013527351.tif 000002
【特許請求の範囲】
【請求項１】
建設のための小型モジュールを製造する工法に関し、特にドアと窓とに対応する開口部を具備する鉄筋コンクリートの長方形角柱状モジュールに関し、少なくとも６つの構成部材（１）、上部ベース（２）および４つ側壁（３、４、５、６）に基づく内側永続型枠の工場における構築段階で、該長方形角柱状ブロックを設置し、該角柱状ブロックを直接地上または水平プラットフォーム上に支持し、該永続型枠の統合エレメントを据え付ける段階、外部型枠を上記型枠に付加する段階、２つの型枠の間にある周辺スペースを高流動性自己充填コンクリートで充填する段階、および、コンクリートが硬化した後、外部および再利用可能型枠が取外す最終段階、を含むタイプの、建設のための小型モジュールを製造する工法。該型枠工事は、高耐性充填材で互いに固定される異なる部材による、工場における永続型枠の構築段階に特徴があり、それで、いったん角柱状ブロックが形成されると、角柱状ブロックは該内側永続型枠の外面上における最下方のベース（１）の下方のベースパネルに置かれた間隙用支持部材（９）によって地上または水平プラットフォーム上に直接支持され、一方該内側永続型枠の外面に、必要な電気、電話、排水施設、配管および他の据え付け物が据え付けられ、続いて、必要に応じて外部壁上の先行構造の外面に断熱材を配置または取付け、その後、外部型枠であるが、その構造は４つの側面のピース（１４）であり、それぞれはその端部の１つで隣接したピースを超えてかなり突出し、そのために、その内側型枠に対するそれらの距離は望み通りにすることができ、外部および再利用型枠のこれらエレメントを地上またはこの地上に置かれた水平プラットフォームの上に支持し、かつその頂部端において該内側永続型枠に対してかなり突出し、そのために２つの型枠の間に存在する周辺スペースを液体コンクリートによって充填する段階において、内側型枠と地上との間に存在するスペース、また該内側型枠の上部エリアもまた充填され、それによって上位の構造を設置することになる工法。
【請求項２】
居住施設の内部永久構造を決定する、内側永続型枠材を準備する作業段階であることを特徴とする、請求項１に記載の建設のための小型モジュールを製造する工法。
【請求項３】
内側永続型枠が、ドア、窓および他の同様な部材の開口部（７）と対応して、モジュール壁の予想厚さと同じ厚さを持つ外部隔壁（８）を組み入れることを特徴とする、請求項１または２に記載の建設のための小型モジュールを製造する工法。
【発明の詳細な説明】
【技術分野】
【０００１】
本発明は、小型ブロック、すなわち可変の高さを持つ建築物を立ち上げる場合、それ自体あるいは他の同様なブロックと組み合わせて用いるキュービクルで形成されたブロック、を製造する新規工法に関する。
【０００２】
本発明の目的は、硬い床の緊結を要さずまた、いかなる振動あるいは膨張を妨げ、亀裂や湿気を防ぐ１００％モノリシックな角柱状モジュールを、驚異的な低価格および全体的な量産で、達成すことである。
【０００３】
従って、本発明は建設の分野に属する。
【背景技術】
【０００４】
柱および梁で形成されている構造が上部に立つコンクリート基礎に基づき、上部がスラブまた側面がれんがおよび他の同様の建設材料で囲まれる、古い、時代遅れで高価な建築の建設工法は、一般的に鉄筋コンクリートで作られ、ドアおよび窓等の開口部を個々に備えた角柱状長方形ブロックを形成する、プレファブモジュールにますます切り替えられており、
そこでは各モジュールは、モジュールの個々の側面に対応し、工場で製造され、特に適当な土台の上に状況に応じて地上で組立可能であり、たとえばねじ、ナットまたはその他のような機械的手段を一般的に介して、それらの辺縁部で接合し合う、補強コンクリート板で構成される。
【０００５】
モジュールの該マルチパートによる建設、またそれらの土台への取り付けは、本来容易に膨張し振動しがちであり、そのために亀裂および湿気が頻繁にモジュール上に現れる。
【０００６】
更に、該構造は、内側と外側両方のその後の塗装の必要、さらに設備ダクトの貫通ならびに、外部壁面に対応する断熱材の採用または増加に必要な、チャンバーの形成、を妨げることはない。
【０００７】
これらの課題を克服する試みに、角状柱ブロックの１面、３面、４または５面をはじめから個材として互いに接合し合う既知の解決策がある。すなわちモジュールを形成する部材の数を、したがって、それらの部材間の継ぎ手数を減少することになる。
【０００８】
本発明者は、完全にモノリシック状態を実現する、当産業または現場で行われている既存の他の別のソリューションをしらない、それは上記に記載された利点を提供するために角状ブロックの全６面を個材として接合し合うことである。
【発明の概要】
【発明が解決しようとする課題】
【０００９】
本発明は、高さ調節可能な建物を構築するための、複数の小型ブロック、すなわちそれ自体であるいは他の同様の複数のブロックと合わせて使用される小キュービクルによって形成される複数の小型ブロックを製造するための新工法に関する。
【００１０】
本発明の目的は、リジッドなフロアの固定を必要とすることなく、任意の振動または膨張を無効にし、亀裂および湿気を防止し、全体として意外な低コストでかつ大量生産に適した、１００％モノリシックな角状モジュールを達成することである。
【００１１】
従って、本発明は建築物の建設の分野に属する。
【課題を解決するための手段】
【００１２】
本発明が提案する建設用小型モジュールの製造工法は、上記したように、従来の任意の建設システムと比較して製造コストは遥かに低く、該モノリシック状を完全に実現する。
【００１３】
より詳しくは、それを実現するには、該工法は所望の角状キュービクルスペースの内側に対応して、上方スラブと下方スラブのみならずすべての側面を集成した、工場製の永続型枠から開始する。該永続型枠は、キュービクルの仕上げ材、また、ドアと窓等用の適切な穴、さらにこれらの穴に対応した交叉分割壁までも、穴の幅は全体的に内壁と外壁の厚さに一貫性を持たせ、統合している。
【００１４】
寸法が輸送上の理論的制約により限定されるようにこれらの型枠が緊結されると、該型枠は工場自体、または最適と見なす場所に、それを使用するまで貯蔵する。。
【００１５】
その際  、建てられるモジュールの平面形状は、メッキされた平坦かつ簡単なプラットフォーム上、適切にたたき固められた床上もありうる、になぞられる。これは、工場または建築現場でなされてもよい。
【００１６】
下方のスラブは、この下方スラブの想定する全体厚に応じてスラブをプラットフォーから十分に分離する支持材に助けられて、適当な位置にある該プラットフォームの上に提供される。
【００１７】
それから我々は、周囲の壁を容易に構成しうる、内部のキュービクル仕切り壁の一つあるいはいくつかのを含む、各モジュールを構成する必要な壁を提供していき、このようにして高強度充填材の手段によって下方のスラブを保持し  そして最終的に上方スラブの取り付けに至る。
【００１８】
更に、電気、電話、衛生設備、飲料水等に必要な設置物はすべて該内部用統合型枠の外面に設置する。
【００１９】
続いてまた以上の設置物の上に、すなわちそれらの外側に、断熱が必要とされる壁面上に断熱材をあるいは設置するかまたは広げる。
【００２０】
次に、取り囲む補強材を取り付けるが、それは型枠の６面にすべてに作用し所要の強度に応じて計算されている。
【００２１】
次に、外部型枠を設置する。これは４枚の横方向の部材より成り、個々が片方の端部で隣接する部材を越えて大幅に突出し、従って、該外部型枠は、４つの重なった横側を互いに簡単に接合し合うことによって、任意の寸法のスラブおよび壁にも対応することが可能である。
【００２２】
次の作業段階において、我々は、初期また最終高強度の高流動性自己充填コンクリートによって内部の永続型枠と外部の回収可能型枠との間のスペースを充填し、打設段階の分離を防止し、それによって、１００％モノリシック状態を実現し、コンクリート打設は上のスラブのために最高想定レベルを実現し、すなわち鉄筋コンクリートと一体構造物から成る、一個の中空長方形角柱状ブロックが獲得され、それによって、モジュールは堅固な床材固定を必要とすることなく、モジュール内に亀裂と湿気の出現を引起こす振動または膨張のいかなるリスクをも防止する。
【００２３】
モジュールを脱型した後、すなわち外部の回収可能な型枠を取外した後、モジュールの構造的挙動は、一層における使用、またはその壁の厚さに基づき、垂直および横両方向操作のための対応するアンカーとモジュールを接合し合うことによって、１０、１２または更に多くの層の積重ねにおける使用、に対して十分な復原力と強度をもたらす梁のそれ。
【００２４】
このことは、自動化の活用あるいは単に機械化によるかに関係なく、すぐれた品質のみならず、システム単純化の貢献により、従来の想定を越えて製造コストの一層の低下を達成し、場所や財務能力に関係なく、すべての投資家に手が届くようになり、任意の状況下においてそれなりに良く、安全かつ手ごろな工業化住宅生産の今後の発展によって、内側永続型枠の異なる仕上げおよび据付にそれを適合させるものとして、品質に関し有り余る可能性がなおまた今後とも開かれている。
【図面の簡単な説明】
【００２５】
提供された記述を補足し、本発明の特徴をよりよく説明するために、発明の以下の好ましい実施形態は、いかなる場合でも制限的でなく、添付図面の参照を通じて、例として提供され、以下：
【００２６】
【図１】工法の第１の段階、すなわち内側永続型枠の６つの一体的パーツ、において得られた工場における分解図を示す。
【図２】図２および図３はそれぞれ、前図で提示された、アセンブリーに関する限定的な位置で分解された異なるパーツで、構造の立体図として分解図を示す。
【図３】図２および図３はそれぞれ、前図で提示された、アセンブリーに関する限定的な位置で分解された異なるパーツで、構造の立体図として分解図を示す。
【図４】正式に組立てた、すなわち完全に完成した内側永続型枠の、前図の構造を示す。
【図５】前図のそれと同様の図面を示すが、設備の先付品が内側永続型枠に付与されている。
【図６】図５で示された構造上に断熱材がおかれた時点の、工法の次の作業段階を示す。
【図７】図６の構造が網目状の骨格によってカバーされた状態で見えている、工法の次の作業段階の結果を示す。
【図８】外側再利用可能な型枠設置の中間段階における前図の構造を示す。
【図９】外部型枠の据え付けを完成した後の結果を示す。
【図１０】２つの型枠−外部および内部−間のスペースのコンクリートによる充填段階の最終における図９の構造を示す。
【図１１】最後に、外部再利用可能型枠を取外した後の工法の最終結果を示す。
【発明を実施するための形態】
【００２７】
これまで見てきた図面を観察すると、特に図１、２および３において、工法の第１の段階において、工場レベルにおいて獲得された内側永続型枠の構成部材が、すなわち床構造に対応する基礎部材（１）、天井構造のための同様の部材（２）、およびこの場合モジュールの側壁に対応する４部材（３、４４、５および６）が、得られているかがみられ、モジュールは図面に
表示がない内側仕切り部材によって任意に補足される。
【００２８】
これらの部材、特に側面の部材（３、４、５および６）は、所望の壁の厚さと一致する寸法を持ち、外側の周囲の延長を有するドアおよび窓に形状的にかつ寸法的に対応する開口部（７）を包含する。
【００２９】
これまでも言及したように、該永続型枠（１、３、４、５および６）  は、その内側は、モジュールの構造において見られるように、最終的な内側を構成するように構築される。
【００３０】
次の作業段階において、これらの部材の固定に進み、それで、他の適切な固定手段も使用しうることが明らかであるが、上記に指摘したように、図４で示す６面の長方形角状ブロックを実行するため、最終的コンクリート構造を支持するため、高耐性充填材を当目的に利用しうる。
【００３１】
再び下のベース（１）に返ると、床に関しておよび前もってそれに設置されたプラットフォームに関してする永続型枠全体のレベルにおける間隙用部材に応じて、そのベース面バッファー（９）を組み込むということを指摘しなければならない。その部分に関しては、例えば、該天井構造に計画された高さと同じ高さを持つ立ち上げカラーに延びていく、煙の出口用または他の用途の長方形窓（１０）を天井構造に対応する該部材（２）に用意することができる。  
【００３２】
内側永続型枠を獲得した後、例えば、今のケースにあったようにまた図５、電気施設（１１）、で示すように、型枠にモジュール設備の取り付け物を外部から固定する作業に進む。
【００３３】
次の作業段階において、図６で示すようにまた同様に外部に、必要な限り、すなわち居住施設の外部に応じて、前記型枠の面に断熱材（１２）を  置く作業が次に続く。
【００３４】
次に、スチールラックに基づいて、横断面はそう大きくないが通常必要とする目的を果たす直径８ミリの、十分に計算された補強フレームワーク（１３）によって、図６に示した構造の外側全体を覆う補強フレームワークを設置する。
【００３５】
続いて、図８および図９で示すように、外部の再利用可能な型枠が前図の構造を覆うように取付けられるが、４個の垂直部材（１４）から組立てられそのそれぞれは隣接した部材の垂直エッジの一つと重なり合う、すなわち、型枠（１４）の各部材はそれと重なる部材に関しその先端の一つがかなり突き出しているが、これは型枠（１４）のこれらの４部材の間の相対的な位置の変更を可能にし、翻って、外側再利用可能型枠および内側永続型枠の間の距離を所望に応じて変更するのを可能にし、または―同様だか―居住施設の壁厚を所望に応じて調節することを可能にするが、一方、外側型枠部材の高さは、内側型枠の高さよりはるかに大きいが、後者の高さは、適正レベルまでコンクリートを充填するのみであるが所望の幅を達成するためのバッファー（９）を含む。
【００３６】
外部型枠（１４）を取付けた後、それは、内側型枠およびその付属品とともに、それらとガーダーの間のバッファー（９）によって定義されているものと直接相互作用し合う周辺チャンバー（１５）を定義し、チャンバーは上記で指摘したようにセメントによって充填され、また、チャンバーは単一部材の特徴もあり、モジュールの天井構造を形成するのに十分な量で型枠の下面を越える。
【００３７】
モジュールは、再利用可能外部型枠（１４）を取外し、モジュールが、図１１に示す形状、ドアと窓の開口部の数、構成また位置など便利と考えられるその他の者を受けいれて、完了する。
【図１】
2013527351.tif 000003
【図２】
2013527351.tif 000004
【図３】
2013527351.tif 000005
【図４】
2013527351.tif 000006
【図５】
2013527351.tif 000007
【図６】
2013527351.tif 000008
【図７】
2013527351.tif 000009
【図８】
2013527351.tif 000010
【図９】
2013527351.tif 000011
【図１０】
2013527351.tif 000012
【図１１】
2013527351.tif 000013
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
ドア、窓に該当する開口部を伴う、鉄筋コンクリート製の角柱状長方形モジュールを建設するためのコンパクトモジュールの製造工程は、以下に詳細される工程段階にて造られる：
−最低６パーツで構成される、内部型枠のプレファブリケーションは、下部ベース（１）、上部ベース（２）、側面壁（３，４，５，６）より成り立っている、
−前述された内部型枠の各パーツの組み立ては、様々な部材がお互いに高耐性充填剤により固定され、全体的に見ると、地面、またはプラットフォームなど水平面上に設置された、角柱状長方形ブロックの形を成し、床部（１）に該当するパーツの下部にはベースパーツ（９）を、支持部として組み込む
−電気配線、電話配線、衛生設備、配水管等はすべて当型枠の外側側面に配置されるものとする
−さらには、当型枠の外面部上に必要に応じて断熱材を設置し、次に内部型枠の外側全面に、大きさ、形にあった鉄筋を設置し、
−  ４個の部材  （１４）から成り立つ、外部型枠を設置し、各部材の一端は隣接する部材の端部を隠すほどに突出しているべきであり、それにより内部型枠と外部型枠間のスペースは自在に調節可能であり、さらにそれらの外部型枠は地面ないし水平上に設置されたプラットフォーム上にて設置される。また当型枠は内部型枠より端部上辺が十分はみ出ているべきであり、
−  外部、内部型枠間のスペースにコンクリートを流し込み、さらには、構造強化のために底部型枠と地面間のスペース、天井部にあたるスペースにもコンクリートを流し込み、コンクリートが完全に固まった後、外部、内部型枠を取り外す
工法。
【請求項２】
居住施設の内部永久構造を決定する、内側永続型枠材を準備する作業段階であることを特徴とする、請求項１に記載の建設のための小型モジュールを製造する工法。
【請求項３】
内側永続型枠が、ドア、窓および他の同様な部材の開口部（７）と対応して、モジュール壁の予想厚さと同じ厚さを持つ外部隔壁（８）を組み入れることを特徴とする、請求項１または２に記載の建設のための小型モジュールを製造する工法。
【国際調査報告】
2013527351.tif 000014
2013527351.tif 000015
2013527351.tif 000016
2013527351.tif 000017
2013527351.tif 000018
2013527351.tif 000019